(57)【要約】【課題】ベルトの引っ張り張力によって回転ドラムが強く押し付けられる場合でも、ドラムサポート部の振動及び振動音を低減することを可能とする衣類乾燥機を提供する。【解決手段】衣類乾燥機１は、本体１０内に前面を開口した筒状の回転ドラム２が横置きに設置されている。回転ドラム２は、ドラム後面板２１の中心部を支軸２３により回転自在に支持すると共に、ドラム前面における開口縁部２２の内周面をドラムサポート部３の筒状のドラム受け部３３により回転自在に支承して設置され、回転ドラム２の外周面にベルト５４を巻き掛けてベルト５４を介してモータ５の回転力により回転される。そして、ドラムサポート部３のドラム受け部３３には周方向に延びる絞り部８が形成されている。【選択図】図２
2013180033.tif 000002
【特許請求の範囲】
【請求項１】
本体内に前面が開口された筒状の回転ドラムを横置きに設置し、ドラム後面板の中心部を支軸により回転自在に支持すると共に、ドラム前面における開口縁部の内周面をドラムサポート部の筒状のドラム受け部により回転自在に支承し、回転ドラムの外周面にベルトを巻き掛けてベルトを介してモータ回転力により回転ドラムを回転する構成を備え、
上記ドラムサポート部のドラム受け部には周方向に延びる絞り部が形成されている衣類乾燥機。
【請求項２】
請求項１に記載の衣類乾燥機において、
上記絞り部は、少なくとも、回転ドラムのベルト巻き掛け範囲のうち回転ドラムの回転時にベルトが回転ドラムから巻き出る側のベルト離間位置近傍と対向した位置に形成される衣類乾燥機。
【請求項３】
請求項１又は２に記載の衣類乾燥機において、
上記絞り部は、回転ドラムの開口縁部に対して凹状に形成される衣類乾燥機。
【請求項４】
請求項１〜３のいずれか１項に記載の衣類乾燥機において、
上記絞り部は、回転ドラムの開口縁部先端がドラム受け部に非接触となる幅寸法に形成される衣類乾燥機。
【発明の詳細な説明】
【技術分野】
【０００１】
本発明は、回転ドラム内で衣類等の乾燥を行う衣類乾燥機に関するものである。
【背景技術】
【０００２】
従来、この種の衣類乾燥機において、本体内に設置する回転ドラムは、ドラム後面板の中心部で支軸により回転自在に支持され、ドラム前面の開口縁部は、その内周面がドラムサポート部の筒状のドラム受け部により回転自在に支承された構造のものがある（図１参照）。ドラムサポート部のドラム受け部の上部には回転ドラムの開口縁部との摺動抵抗を緩和するためのスライダーが設けられ、また、ドラム受け部の全周には回転ドラムの開口縁部との隙間をシールするためのシール部材が貼着されている。そして、回転ドラムは、その外周面とモータ軸のプーリーとの間にベルトを巻き掛けてモータの回転力によりベルトを介して回転される。
【０００３】
このような衣類乾燥機において、上記スライダーを回転ドラムの回転方向に対して傾斜させることにより、スライダーの位置での糸屑の滞留を少なくしてスライダーの軸受作用が非円滑となるのを防止するもの（特許文献１）、また、上記ドラムサポート部の形状を垂直方向に長円形状に形成して、回転ドラムの開口縁部とドラムサポート部のドラム受け部との間の下部に大きな隙間が発生するのを防止するもの（特許文献２）等があった。
【先行技術文献】
【特許文献】
【０００４】
【特許文献１】特開２０００−１２６４９９号公報
【特許文献２】特開昭６３−７３９９８号公報
【発明の概要】
【発明が解決しようとする課題】
【０００５】
ところで、従来の衣類乾燥機では、回転ドラムは後部で支軸により片持ち状態に支持されているため、回転ドラムが回転時にベルトで引っ張られると、ドラムサポート部のドラム受け部に回転ドラムの前部の開口縁部が強く押し付けられる。このようにベルトの引っ張り張力によって回転ドラムの開口縁部が強く押し付けられるドラム受け部の位置では、摩擦が大きく摺動抵抗が大きくなる。また、回転している回転ドラム内では衣類が攪拌されるため、衣類の移動等の影響でベルトの引っ張り張力が不規則に変動することがある。そのため、ドラムサポート部のドラム受け部が回転ドラムの開口縁部との摺動抵抗によって大きな負荷を不規則に受けて、ドラムサポート部が振動を起こし大きな振動音を発生させるという問題があった。また、衣類に染込んだ水分や洗剤等がドラム受け部に貼着したシール部材に付着すると、回転ドラムの開口縁部とドラムサポート部のドラム受け部との間の摺動抵抗が大きくなってドラム受け部にかかる負荷が大きくなり、ドラムサポート部の振動や振動音を増大させていた。
なお、上記の特許文献１、特許文献２の衣類乾燥機は、このようなドラムサポート部の振動や振動音を軽減させるものではなかった。
【０００６】
本発明は、上述の事情に鑑みてなされたものであり、ベルトの引っ張り張力によって回転ドラムが強く押し付けられる場合でも、ドラムサポート部の振動及び振動音を低減することを可能とする衣類乾燥機を提供することを目的とする。
【課題を解決するための手段】
【０００７】
本発明に係る衣類乾燥機は、
本体内に前面が開口された筒状の回転ドラムを横置きに設置し、ドラム後面板の中心部を支軸により回転自在に支持すると共に、ドラム前面における開口縁部の内周面をドラムサポート部の筒状のドラム受け部により回転自在に支承し、回転ドラムの外周面にベルトを巻き掛けてベルトを介してモータ回転力により回転ドラムを回転する構成を備え、
上記ドラムサポート部のドラム受け部には周方向に延びる絞り部が形成されている。
上記構成によれば、絞り部によってドラム受け部の強度が増してドラムサポート部の剛性を向上することができる。また、ドラム受け部に絞り部を形成することにより、ドラム受け部と回転ドラムの開口縁部との間の接触面積が少なくなり、ドラム受け部が回転ドラムから受ける摺動抵抗による負荷を軽減することができる。
【０００８】
上記絞り部は、少なくとも、回転ドラムのベルト巻き掛け範囲のうち回転ドラムの回転時にベルトが回転ドラムから巻き出る側のベルト離間位置近傍と対向した位置に形成されることが望ましい。
これにより、ドラムサポート部のドラム受け部においてベルトの引っ張り張力によって回転ドラムの開口縁部が強く押し付けられる部分を効率よく強度アップすることができる。
【０００９】
上記絞り部は、回転ドラムの開口縁部に対して凹状に形成されることが望ましい。
これにより、ドラム受け部において、絞り部の形成範囲分だけ回転ドラムの開口縁部との間の接触面積を少なくして回転ドラムとの摺動抵抗を小さくすることができる。
【００１０】
上記絞り部は、回転ドラムの開口縁部先端がドラム受け部に非接触となる幅寸法に形成されることが望ましい。
これにより、ドラム受け部において、回転ドラムの開口縁部先端によって強く押し付けられる部分を少なくすることができ、回転ドラムとの摺動抵抗を小さくすることができる。
【発明の効果】
【００１１】
以上のように、本発明によれば、ドラムサポート部のドラム受け部に周方向に延びる絞り部を形成することによってドラムサポート部の剛性が向上されると共に、ドラム受け部が回転ドラムから受ける摺動抵抗による負荷を軽減することができる。従って、ドラム受け部に対してベルトの引っ張り張力により回転ドラムが強く押し付けられても、ドラムサポート部の振動及び振動音を低減することができる。
【図面の簡単な説明】
【００１２】
【図１】実施形態による衣類乾燥機の内部構造を示す断面図である。
【図２】実施形態による衣類乾燥機の内部構造を正面から見た模式図である。
【図３】回転ドラム及びドラムサポート部を示す斜視図である。
【図４】ドラムサポート部のドラム受け部に形成された絞り部を示す断面図である。
【図５】ドラム受け部に形成する絞り部の他の例を示す断面図である。
【発明を実施するための形態】
【００１３】
以下に、本発明の実施形態について添付図面を参照しながら説明する。
図１及び図２に示すように、衣類乾燥機１は、本体１０の前面には扉１１が開閉自在に取り付けられており、本体１０内には被乾燥物の衣類Ｗを収容するための回転ドラム２が回転自在に設けられている。回転ドラム２は、前面が開口された円筒状に形成されて本体１０内に横置きに設置されている。回転ドラム２の後部は、ドラム後面板２１の中心部が水平軸芯となる支軸２３により回転自在に支持され、回転ドラム２の前部は、リング状のドラムサポート部３により回転ドラム２の短円筒状の開口縁部２２が回転自在に支承されている。ドラムサポート部３は、金属製であり、板面中央に開口部３１を有するリング状に形成され、開口部３１の周縁部には前方へ突出する短円筒状のフランジ部３２が形成され、また、ドラムサポート部３の外周部には前方へ突出する短円筒状のドラム受け部３３が形成されている。そして、ドラムサポート部３は、フランジ部３２に円筒状のボス部材１３を組み付けて本体１０の前板１２に取り付けられ、ドラム受け部３３の外周部により回転ドラム２の開口縁部２２の内周面を回転自在に支承するように設置されている。
【００１４】
図３をも参照して、ドラム受け部３３の上部の外周面には回転ドラム２の開口縁部２２との摺動抵抗を緩和するために樹脂を形成したスライダー３５が複数取り付けられ、また、ドラム受け部３３の外周面全周には回転ドラム２の開口縁部２２との隙間をシールするためにフエルト等で構成したシール部材３６が貼着されている。なお、シール部材３６のスライダー３５取付部分は切り取られている。また、ドラムサポート部３の板面の下部には、多数の孔からなる温風吹出口３４が一定範囲にわたって設けられており、この温風吹出口３４から回転ドラム２の内部に温風が送り込まれる。なお、ドラムサポート部３は、ドラム受け部３３の先端部から板面と平行に延ばした取付板部を連続形成して、この取付板部を本体１０の前面又は前板１２に取り付ける構成（例えば、特開２０００−１２６４９９の図４参照）としてもよい。
【００１５】
本体１０内の底部の一端側（図２では衣類乾燥機１を正面視した左下側）には、モータ５が設けられている。このモータ５は、モータ軸５１が前後に突出され、前側のモータ軸５１に第１プーリー５２が取り付けられ、後側のモータ軸５１に第２プーリー５３が取り付けられている。そして、回転ドラム２は、その胴部の外周面とモータ軸５１の第１プーリー５２との間にベルト５４が巻き掛けられてモータ５の回転力によりベルト５４を介して回転される。このベルト５４には、テンションプーリー５５が押圧されてベルト５４がたるまないようにテンションが付与されている。モータ軸５１の第２プーリー５３には、回転ドラム２の後方に配設するファン６のプーリー６１との間にファン用ベルト６２が巻き掛けられてモータ５の回転力によりファン用ベルト６２を介してファン６が回転される。また、本体１０内の底部の他端側（図２では衣類乾燥機１を正面視した右下側）には、加熱手段７となるガスバーナが設けられている。なお、加熱手段７は、ヒータで構成されてもよい。
【００１６】
そして、衣類乾燥機１は、乾燥運転を開始して加熱手段７を作動すると共にモータ５を回転駆動して回転ドラム２とファン６が回転されると、加熱手段７により温められた空気が温風吹出口３４を通過して回転ドラム２内に前方から吹き込まれ、衣類Ｗと熱交換した後、この湿気を含んだ空気が回転ドラム２の後方の排出口２４から排気通路１４を経て、本体１０の上部の排気口１５から排気される。これによって、衣類Ｗが乾燥される。
【００１７】
ところで、上記構成の衣類乾燥機１は、本明細書の「発明が解決しようとする課題」の項目で説明したとおり、ドラムサポート部３のドラム受け部３３が回転ドラム２の開口縁部２２との摺動抵抗によって大きな負荷を不規則に受けて、ドラムサポート部３が振動を起こし大きな振動音を発生させることがあった。
そこで、本実施形態の衣類乾燥機１は、図４をも参照して、ドラムサポート部３のドラム受け部３３に絞り部８を形成することにより、ドラムサポート部３の剛性が向上されて、回転ドラム２の回転時にベルト５４の引っ張り張力により回転ドラム２がドラム受け部３３に強く押し付けられても、ドラムサポート部３での振動及び振動音の発生を抑制するようにしている。
【００１８】
このような絞り部８は、例えば、プレス加工によってドラム受け部３３の形成と同時又はドラム受け部３３の形成後の２次加工により形成される。そして、絞り部８の形成位置としては、回転ドラム２のベルト巻き掛け範囲内のうち回転ドラム２の回転時にベルト５４が回転ドラム２から巻き出る側のベルト離間位置Ｐ２近傍と対向した位置に周方向に延ばして形成される（図２参照）。すなわち、この絞り部８の形成位置は、ベルト５４の引っ張り張力によって回転ドラム２の開口縁部２２が強く押し付けられる位置にあり、回転ドラム２の開口縁部２２とドラムサポート部３のドラム受け部３３との間の摩擦が最も大きく、摺動抵抗が大きくなる部分である。ここで、上記「ベルト巻き掛け範囲」とは、ベルト５４が回転ドラム２に巻き付いている範囲であり、具体的には、ベルト５４が回転ドラム２に巻く付く側のベルト接触位置Ｐ１からベルト５４が回転ドラム２より巻き出る側のベルト離間位置Ｐ２までの範囲であってベルト５４が回転ドラム２と接触している側の範囲である（図２参照）。また、絞り部８の形成範囲は、例えば、ドラム受け部３３の全周に対して１／５〜１／４の周方向範囲に形成することができる。これにより、ドラム受け部３３においてベルト５４の引っ張り張力によって回転ドラム２の開口縁部２２が強く押し付けられる部分を強度アップすることができ、ドラムサポート部３の剛性を向上することができる。
【００１９】
ここで、図２に示す衣類乾燥機１の構成を基にして、絞り部８の形成位置を説明する。図２（本体１０の内部構造を前面側から見た模式図）に示した衣類乾燥機１は、正面視で、モータ５が本体１０内の左下に配設されてベルト５４で回転ドラム２が時計回りに回転され、回転ドラム２に巻き掛けた下位側のベルト５４が回転ドラム２の右下から左方のモータ５側に引き込まれていく。従って、モータ５の設置位置と反対側となるドラムサポート部３のドラム受け部３３の右下部分に対して、ベルト５４で引っ張られる回転ドラム２の開口縁部２２が強く押し付けられる。このドラム受け部３３の右下部分は、回転ドラム２のベルト巻き掛け範囲のうちのベルト離間位置Ｐ２近傍から一定範囲（回転ドラム２の開口縁部２２全周の１／５〜１／４の周方向範囲）と対向した位置に相当する。すなわち、この場合、ドラム受け部３３の右下部分においてドラム受け部３３の全周の１／５〜１／４の周方向範囲に対して回転ドラム２の開口縁部２２が強く押し付けられる。よって、絞り部８は、ドラム受け部３３のこの右下部分に周方向に一定長さにわたって形成される。図２において、絞り部８は、ドラム受け部３３の右下部分にあって、ベルト離間位置Ｐ２近傍からベルト巻き掛け範囲側へドラム受け部３３の全周の１／５〜１／４の周方向範囲に形成されている。
【００２０】
また、絞り部８は、ドラムサポート部３の中心部に向けて凸となるように形成される。つまり、絞り部８は、回転ドラム２の開口縁部２２に対して凹状に形成される（図４参照）。これにより、ドラム受け部３３は、絞り部８の形成範囲分だけ回転ドラム２の開口縁部２２との間の接触面積が少なくなるので、ドラム受け部３３が回転ドラム２から受ける摺動抵抗による負荷を軽減することができる。なお、絞り部８をドラムサポート部３の外径方向へ凸状に形成すると、絞り部８の突出部分でドラム受け部３３が大径となり回転ドラム２の開口縁部２２との摺動抵抗を増大させるおそれがあるが、絞り部８を回転ドラム２の開口縁部２２に対して凹状に形成することで回転ドラム２の開口縁部２２との摺動抵抗を増大させることもない。
【００２１】
さらに、絞り部８は、ドラム受け部３３の前端において回転ドラム２の開口縁部２２の先端２２ａがドラム受け部３３に非接触となる幅寸法に形成される（図４参照）。これにより、ドラム受け部３３において回転ドラム２の開口縁部２２の先端２２ａによって強く押し付けられる部分を少なくすることができるので、ドラム受け部３３が回転ドラム２から受ける摺動抵抗による負荷を一層軽減することができる。
なお、ドラム受け部３３は、前端側が大径となるテーパ状に形成されてもよい。この場合、テーパ状のドラム受け部３３には回転ドラム２の開口縁部２２の先端２２ａが強く押し付けられるが、絞り部８をドラム受け部３３の前端において回転ドラム２の開口縁部２２の先端２２ａがドラム受け部３３に非接触となる幅寸法に形成することにより、ドラム受け部３３が回転ドラム２から受ける摺動抵抗による負荷の軽減効果を顕著に発揮することができる。
【００２２】
このように、本実施形態の衣類乾燥機１によれば、ドラムサポート部３のドラム受け部３３に周方向に延びる絞り部８を形成することによってドラムサポート部３の剛性が向上され、しかもドラム受け部３３では絞り部８の形成範囲分だけ回転ドラム２の開口縁部２２との間の接触面積が少なくなりドラム受け部３３が回転ドラム２から受ける摺動抵抗による負荷が軽減される。特に、絞り部８は、ドラム受け部３３においてベルト５４の引っ張り張力によって回転ドラム２の開口縁部２２が強く押し付けられる部分に対して形成されるので、ドラムサポート部３の剛性向上及びドラム受け部３３が回転ドラム２から受ける負荷の軽減を効果的に達成することができる。従って、ドラム受け部３３に対して回転ドラム２の回転時にベルト５４の引っ張り張力により回転ドラム２の開口縁部２２が強く押し付けられても、ドラムサポート部３の振動及び振動音を低減することができる。
【００２３】
なお、本発明は、上記実施形態のみに限定されず、本発明の要旨の範囲内で適宜変更することができる。
例えば、絞り部８は、図５に示すように、ドラム受け部３３の前端側のみならず後端側にも第２の絞り部８１を形成してもよい。この場合、ドラム受け部３３は、さらに強度アップすることができ、回転ドラム２の開口縁部２２との接触面積を低減し摺動抵抗をさらに低減することができる。
絞り部８は、ドラム受け部３３の全周にわたって形成してもよい。
回転ドラム２を一方向に回転させるだけでなく逆方向にも回転させる場合は、ドラム受け部３３において回転ドラム２の逆回転時にベルト５４で引っ張られる回転ドラム２の開口縁部２２が強く押し付けられる位置にも絞り部８を形成するようにしてもよい。
モータ５は、本体１０内の上部に設置されてもよく、この場合も、絞り部８は、少なくとも、ドラム受け部３３において回転ドラム２の回転時にベルト５４で引っ張られる回転ドラム２の開口縁部２２が強く押し付けられる位置に形成される。
【符号の説明】
【００２４】
１  衣類乾燥機
２  回転ドラム
３  ドラムサポート部
５  モータ
８  絞り部
１０  本体
２１  ドラム後面板
２２  開口縁部
２３  支軸
３３  ドラム受け部
５４  ベルト
Ｐ１  ベルト接触位置
Ｐ２  ベルト離間位置
【図１】
2013180033.tif 000003
【図２】
2013180033.tif 000004
【図３】
2013180033.tif 000005
【図４】
2013180033.tif 000006
【図５】
2013180033.tif 000007